(57)【要約】      （修正有）【課題】サーバ側にて照合する人数をできうる限り少なくしつつも、事前に撮影対象を登録することなく、配信を行える画像配布システムを提供する。【解決手段】撮像装置から撮影際に、ユニークなＩＤが周囲に対して発信される。ユニークなＩＤを受け取った受信装置は、そのＩＤをサーバに送信する。また撮像装置もＩＤと画像データを送信する。サーバでは、画像データ内の顔情報と、同一のＩＤを送信してきた受信機の所有者の顔情報のみを比較することで、顔照合の件数を大幅に減らすことができる。また同じＩＤを受け取っても写真に写っていなければ配信されないため、誤って配信されることもない。【選択図】図３
2011009898.tif 000002
【特許請求の範囲】
【請求項１】
撮影した画像を配布する撮像装置と受信装置とサーバから構成され、
前記撮像装置は、画像撮影機能と一意に識別可能な識別情報（ＩＤ）と前記受信装置に対し、前記識別情報を送信する近距離無線送信機能と、撮影した画像データ及び前記識別情報を前記サーバへ送信する遠距離無線送信機能とを備え、
前記受信装置は、前記撮影装置から前記識別情報を受信する近距離無線送信機能と、前記近距離無線送信機能で受信した前記識別情報を、前記サーバへ送信する遠距離無線送信機能とを備え、
前記サーバは、前記撮像装置から画像データ及び、前記撮像装置と前記受信装置からそれぞれの識別情報を受信するデータ受信部と、画像データを前記受信装置に送信するデータ送信部と、受信装置の所有者の顔情報を蓄積した顔データベースと、画像データから抜き出した顔情報と前記顔データベース内の顔情報を比較し同一顔であることを判断できる顔認識機能とを有した時、
前記撮像装置から受け取った識別情報と、前記受信装置から受け取った識別情報が一致する場合のみ、画像データ内の顔情報と前記データベース内の受信装置の所有者の顔情報を比較することを特徴とした、画像配布システム。
【請求項２】
画像撮影を行ったタイミングで前記識別情報を受信装置に発信する請求項１記載の撮像装置。
【請求項３】
前記が撮像装置の持つ近距離無線送信機能と遠距離無線送信機能が単一の無線送信機能であり、前記受信装置との通信時において前記サーバとの通信時よりも限定した範囲で通信することが可能な通信制御機能を有した請求項１ないし請求項２記載の撮像装置。
【請求項４】
前記が受信装置の持つ近距離無線送信機能と遠距離無線送信機能が単一の無線送信機能であり、前記撮像装置との通信時において前記サーバとの通信時よりも限定した範囲で通信することが可能な通信制御機能を有した請求項１記載の受信装置。
【請求項５】
前記撮像装置内に前記受信機能があり、前記撮像装置として動作すると共に前記受信装置としても動作する請求項１ないし請求項３記載の撮像装置。
【発明の詳細な説明】
【技術分野】
【０００１】
本発明は、撮像装置で撮影した画像の配布を効率的に行うための画像配布システム、撮像装置、受信装置、サーバに関する。
【背景技術】
【０００２】
デジタルカメラで撮影した写真を、被写体である人物に対して配信することがあるが、手動での送信には手間がかかる。そこで顔認識の技術を用い、正しい人物に対して適切に配信する仕組みが特許文献１に記載されている。
【０００３】
特許文献１の図１には画像配信システムの構成が示されている。デジタルカメラは、撮影した画像データから顔情報を取得し、それをサーバへ送信する。サーバでは、顔情報に基づいて人物の特定を行い、適切な人物に対して電子メールなどで配信を行う仕組みとなっている。このように写真に写った顔情報を元に、配信の対象先を判断することによって、自動的でありながら誤った人物に対して写真を配信しない仕組みを作ることができる。
【先行技術文献】
【特許文献】
【０００４】
【特許文献１】特開２００７−１０２６８３号公報
【発明の概要】
【発明が解決しようとする課題】
【０００５】
事前にサーバに登録された顔認証情報から撮影した写真に写った被写体を特定するためには、サーバに顔認証情報を登録した人物全員、つまりはそのサービスを利用している全員の顔と、写真に写った人物を照合しなければならない。このようなサーバとネットワークを使用したサービスでは利用者が数百万〜数千万人になることは珍しくなく、仮に写真に写った人物が一人であっても、その一人と数千万人を比較する必要がある。さらに写真に写る人物が複数人であると、その人数分だけ数千万人と比較する必要があるため、数億回の比較になることも考えられる。比較方法の効率化を進めてもサーバ側の負荷は非常に大きいものとなるため、実現することは容易ではない。
【０００６】
その対策として、ＳＮＳのサービスのように事前に被写体になる可能性のある人物等を登録しておき、その人物だけをサーバにて照合することで、照合回数を減らす方法が考えられる。しかし、この手法だと、あくまで事前に登録した人物にしか配信できないため、旅先で新しい出会いがあった場合や、修学旅行の集合写真のように写った人物が全員友人でない場合などには、登録されていない人物に対して照合が行えず、それらの人物には自動的な配信は行えず、手動による配信という従来から知られる面倒な方法を取らざるをえなかった。
【０００７】
そこで、サーバ側にて照合する人数をできうる限り少なくしつつも、事前に撮影対象を登録することなく、配信を行える仕組みが必要であった。
【課題を解決するための手段】
【０００８】
上記課題を解決するために、本発明は、撮影者が撮影時に使用した撮像装置は被写体が持つ受信装置に対して、撮影したことを示すユニークＩＤ（識別情報）を周囲にいる機器にたいして発行する。撮像装置は撮影した画像とユニークＩＤを、ユニークＩＤを受け取った受信機器はその受信したユニークＩＤを、それぞれサーバに通知する。サーバ側では同じユニークＩＤを持った画像と受信装置の持ち主の顔認証情報を照合し、一致すれば配信する仕組みを持つようにする。
【発明の効果】
【０００９】
ユニークＩＤは、画像毎に変化するものであり同じものは一つとしてない。このユニークＩＤを持つ映像と、同じユニークＩＤを受け取り送ってきた人物の顔認証を行うことで、サーバ側での顔認証比較回数を劇的に減らすことが可能となる。
【００１０】
撮像装置の周囲にある受信装置は観光地などであっても、数十台程度になると考えられるため、照合に必要な回数は、
周囲の数十人 × 写真に写った顔の数
となり、従来の
サービスを利用する人全員× 写真に写った顔の数
よりも少なくなる。
【００１１】
さらに、比較対象を限定する方法（たとえば人物登録）のように、事前に配信対象を絞り込まないため、事前登録が不要であり、急な撮影であっても配信を行うことが可能となる。
【図面の簡単な説明】
【００１２】
【図１】実施の形態の撮像装置の構成を示すブロック図
【図２】実施の形態の受信装置の構成を示すブロック図
【図３】実施の形態のサーバの構成を示すブロック図
【図４】実施の形態の撮像装置の処理を示すフローチャート
【図５】実施の形態の受信装置が識別情報を送受信するフローチャート
【図６】実施の形態のサーバが撮像装置からデータを受信した際のフローチャート
【図７】実施の形態のサーバが受信装置からデータを受信した際のフローチャート
【図８】実施の形態のサーバが画像の送信先を決定するフローチャート
【図９】実施の形態の受信装置が画像データを受信する際のフローチャート
【図１０】実施の形態の撮像装置・受信装置・サーバの関係を表す図
【図１１】実施の形態の第２の撮像装置の構成を示すブロック図
【図１２】実施の形態の第２の受信装置の構成を示すブロック図
【図１３】実施の形態の第３の撮像装置の構成を示すブロック図
【図１４】実施の形態の撮像装置２台とサーバの関係を表す図
【発明を実施するための形態】
【００１３】
以下に、本発明を実施するための最良の形態について、図面を参照して説明する。まず、本実施の形態の撮像装置１００を図１に、受信装置２００を図２に、サーバ３００を図３にそれぞれ示す。
【００１４】
図１は、カメラとしての撮影機能の他に、撮影と同時に周囲の機器に対して撮像装置１００が作成したユニークなＩＤを発行すると同時に、そのユニークＩＤと撮影した画像データをサーバに送信する機能を持っている撮像装置１００である。撮像装置１００は、撮影者指示受付部１０１、撮像部１０２、画像処理部１０３、記憶部１０４、ユニークＩＤ発行部１０５、近距離無線部１０６、遠距離無線部１０７から成り立っている。
【００１５】
撮像装置１００の所有者（撮影者）が、撮像装置を構え撮影したいタイミングでシャッターボタンやタイマー設定を行う。その指示は撮影者指示受付部１０１に伝えられる。撮影者指示受付部１０１から撮影部１０２に対して撮影指示がなされ撮影が行われる。撮影した信号は撮影部１０２から画像処理部１０３に送られ、画像データが作成される。この画像データは記憶部１０４に蓄積されると同時に、また画像データは遠距離無線通信部１０７へ送られる。
【００１６】
撮影者指示受付部１０１は、撮像部１０２に撮影指示を出すと同時に、ユニークＩＤ発行部１０５に対してユニークＩＤの発行指示を出す。ユニークＩＤ発行部１０５にて発行されたユニークＩＤは、近距離無線部１０６と遠距離無線部１０７に対して送られる。近距離無線部１０６ではユニークＩＤを無線信号として周囲にある受信機器２００へ送信する。遠距離通信部１０７では、先に受け取った画像データとユニークＩＤをセットにしてサーバ３００に対して送信される。
【００１７】
図２は、撮像装置１００が発行し送信した、ユニークＩＤを受け取り、サーバ３００に送信する機能と共に、サーバ３００から送られてきた画像データを、蓄積したり、表示したりする機能を有する受信装置２００である。受信装置２００は、近距離無線部２０１、受信装置情報２０２、遠距離無線部２０３、記憶部２０４、表示部２０５から成り立っている。
【００１８】
撮像装置１００から送信されたユニークＩＤを含む無線信号は、近距離無線部２０１にて受信される。受信したユニークＩＤは、受信した受信装置が受信装置２００であることを示す情報である受信装置情報２０２と共に、遠距離無線部２０３からサーバ３００へ送信される。
【００１９】
またサーバ３００から画像データが送られてきた場合には、遠距離無線部２０３で受信し、その画像データを記録部２０４に保存すると共に、表示部２０５において画面表示する機能を持つ。
【００２０】
図３は、撮像装置１００から受け取ったユニークＩＤと、受信装置２００から受け取ったユニークＩＤを比較し一致を確認すると共に、撮像装置１００から受け取った画像データに含まれる顔情報と、一致したユニークＩＤを送ってきた受信装置２００ごとに記憶している利用者の顔情報を比較し、一致した場合、受信装置２００に対して画像データを送信する機能を有するサーバ３００である。
【００２１】
サーバ３００は、通信部３０１と、顔検出部３０２と、比較元データ３０３としてユニークＩＤ３０３ａ、画像データ３０３ｂ、検出顔情報３０３ｃと、サービス利用者データベース３０４として所有者情報３０４ａ、顔照合データ３０４ｂと、比較先データ３０５としてユニークＩＤ３０５ｂ、所有者情報３０５ｂ、蓄積顔情報３０５ｃと、ユニークＩＤ比較部３０６と、顔照合部３０７とを備える。
【００２２】
撮像装置１００から送信されたユニークＩＤと画像データはサーバ３００の通信部３０１で受信される。受信された画像データより顔検出部３０２において顔の検出が行われる。顔情報が含まれていた場合には、比較元データ３０３が生成される。比較元データ３０３の中には、顔を検出した画像データとセットで受信したユニークＩＤ３０３ａと、画像データ３０３ｂと、検出した顔情報である検出顔情報３０３ｃと、が格納される。
【００２３】
さらに通信部３０１は、受信装置２００との通信機能も有している。受信装置２００の遠距離無線部２０３から送信されたユニークＩＤと受信装置情報２０２をこの通信部３０１で受信する。受信した受信装置情報を、サービス利用者データベース３０４に記録されている所有者情報３０４ａと照合し、受信装置の所有者を特定し、その所有者の顔情報を顔照合データ３０４ｂより抜き出す。その抜き出された情報から、比較先データ３０５を作成する。比較先データ３０５には、受信装置２００から受信したユニークＩＤ３０５ａと、所有者情報３０５ｂと、蓄積顔情報３０５ｃと、が格納される。
【００２４】
比較元データ３０３のユニークＩＤ３０３ａと、比較先データ３０５のユニークＩＤ３０５ａが一致するかを比較する。比較を行うのはユニークＩＤ比較部３０６である。ユニークＩＤ３０３ａとユニークＩＤ３０５ａが一致した場合、検出顔情報３０３ｃと蓄積顔情報３０５ｃを比較する。この比較を行うのが顔照合部３０７である。
【００２５】
通信部３０１は、上記の通りその内部に撮像装置１００から画像データ及び識別情報を受信し、さらに受信装置２００から識別情報を受信する受信部と、後述する、撮像装置１００が撮影した画像を受信装置２００へ送信する送信部と、の両機能部をそなえている。
【００２６】
顔照合部３０７で、検出顔情報３０３ｃと蓄積顔情報３０５ｃが一致した場合、画像データは所有者情報３０５ｂに登録されている受信装置へ通信部３０１から送信される。
【００２７】
このように本実施の形態では、撮像装置１００、受信装置２００、サーバ３００の３つ機器が、連携して動作することで撮影した写真を被写体に対し自動的に配信する仕組みを実現している。
【００２８】
まず、撮影者が撮像装置１００を使用して受信装置２００を持った被写体を撮影するまでの撮像装置１００の動作を図４のフローチャートを用いて説明する。
【００２９】
撮影者指示受付部１０１が、撮影者より撮像装置１００の撮影指示を受取る（ステップＳ４００）。この時に撮影者が撮像装置１００を操作することになるが、この方法として撮像装置１００に付けられたシャッターボタンを押下したり、タイマーによる撮影設定を行ったり、リモコンによる操作を行ったりしてもよい。これらのなんらかの操作によって、撮像装置１００は撮影者の撮影意思を受取り、内部の機能に対して動作の指示を行っていく。
【００３０】
撮影指示受付部１０１において、撮影指示を受取った場合、撮像部１０２に対して撮影の支持がなされ、撮影が行われる（ステップＳ４０１）。撮像部１０２は、レンズ、ミラー、ＣＭＯＳやＣＣＤなどの撮像素子から成り立っており、レンズを通して外部からの光を集め、撮像素子で光を数値化することで映像化することができる。本実施の形態では一般的なデジタルカメラと同様の構造であるとして記載しているが、画像を撮影するための仕組みであれば他の方式でも構わない。
【００３１】
撮像部１０３において光を数値化したデータは、画像処理部１０３において画像化される（ステップＳ４０２）。画像化されたデータは、静止画であればＢＭＰやＧＩＦやＪＰＥＧ、動画であればＭＰＥＧやＡＶＩやモーションＪＰＥＧなどの形式で画像データ化される。
【００３２】
そして各形式に変換された画像データは記憶部１０４に蓄積保存される（ステップＳ４０３）。この記憶部１０４は、フラッシュメモリーカード、ハードディスクドライブ、テープメディア、光ディスクメディアなどであっても構わない。また撮像装置１００に内蔵された形状でも構わないし、取り外しができる形状であっても構わない。
【００３３】
また撮影者指示受付部１０１は、撮像部１０２への撮影指示を出すと同時（もしくは、撮像時を含む所定の時間内）に、ユニークＩＤ発行部１０５に対しても撮影通知の指示を出す（ステッ４０４）。ユニークＩＤ発行部１０５では、他と重複しないＩＤを作成する、この重複は他の撮像装置とも重複せずかつ、同一の撮像装置であっても同じＩＤを発行しないようなＩＤである。
【００３４】
このユニークＩＤを生成するために、撮像装置１００の製造番号などの機器固有の情報や、撮影者指示受付部で支持を受け付けた時刻や、ユニークＩＤ発行部にユニークＩＤを発行の指示があった時刻など、時間的情報を使用して作成しても良い。また、乱数などを用いて作成しても良い。また、画像処理部１０３で作成した画像データから一定の法則に基づいて作成しても良い。また、本実施例の図には記載しないが、ＧＰＳなどの位置の計測機能を持つ機器であれば撮影位置の情報を使用して作成しても良い。また、これらの作成方法を複数組み合わせて作成しても良い。
【００３５】
作成されたユニークＩＤは、近距離無線部１０６を用いて撮像機器１００の周囲にある機器（受信機器２００を想定）に送信される（ステップＳ４０５）。
【００３６】
さらに作成されたユニークＩＤは、遠距離無線部１０７から画像処理部１０３で作成された画像データと共に、サーバ３００に送信される。
【００３７】
次に、撮像装置１００が発信したユニークＩＤを、受信装置２００が受け取ってからの受信装置２００の動作を図５のフローチャートを用いて説明する。
【００３８】
受信装置２００は、撮像装置１００が近接無線部１０６を使用して送信したユニークＩＤを近距離無線部２０１で受信する（ステップＳ５００）。
【００３９】
ユニークＩＤを受信した場合、受信装置２００に登録されている受信装置情報２０２と共に、遠距離通信部２０３を用いてサーバ３００に送信する（ステップＳ５０１）。
【００４０】
本実施の形態における、近距離無線について説明する。近距離とは数メートル〜十数メートルの範囲で通信が可能な無線通信手段を想定している。撮像装置１００は画像の撮影者が所持し、受信装置２００は、撮影された画像に被写体として含まれる人が所持しているものであるため、たとえばスナップ写真の撮影であれば数メートルの範囲で通信できれば十分であるといえる。一般的にはＢｌｕｅｔｏｏｔｈやＩＥＥＥ８０２．１１などの無線通信手段や、赤外線による短距離通信（ＩｒＤＡ）、ミリ波を使用したＷｉｒｅｌｅｓｓＨＤなどが知られているが、本実施の形態ではその通信手段の種類を限定するものではない。
【００４１】
また遠距離無線とは、近距離以上の距離を通信可能なものとする。これは撮像装置１００及び受信装置２００と、サーバ３００間の通信で使用されるものである。撮像装置１００と受信装置２００は利用者が持ち歩くことを想定しているが、サーバ３００は特定の位置に固定されたものであることから、長距離の通信が必要になる。一般的には、携帯電話通信網、ＰＨＳ通信網、ＷｉＭＡＸなどの基地局やステーションを想定した通信である。それらを入り口としてインターネットや専用線網に接続し、サーバまでのネットワークを構築してもよい。それらも含めて遠距離無線と称することとする。しかし本実施の形態で、その通信方法の種類を限定するものではない。
【００４２】
受信装置情報２０２とは、受信機２００が持つ固有の情報である。サーバ３００にユニークＩＤを送信する場合、その送信者が誰（どの受信装置）であるかを特定できる情報も持っていなければならない。この情報は受信装置２００の製造番号やシリアルナンバーであったり、ネットワーク上のアドレスであるＩＰアドレスであったり、サーバに事前登録した受信機２００の所有者のメールアドレスや、ユーザ名とパスワードであったり、それらの組み合わせであっても良い。本実施の形態では、サーバ３００がどの受信機かを特定する情報が含まれていればその情報の種類を限定するものではない。
また受信機に複数の利用者（家族で使用している場合）などは、誰が使用しているのかによって受信装置情報２０２を切り替える機能があってもよい。この場合、受信装置の情報と家族のうち誰かを特定する情報が、受信装置情報２０２となる。
【００４３】
撮像装置１００から、ユニークＩＤと画像データを受取ったサーバ３００の動作について図６のフローチャートを用いて説明する。サーバ３００は、通信部３０１を用いて、撮像装置１００からユニークＩＤと画像データを受け取る（ステップＳ６００）。
【００４４】
撮像装置１００から受け取った画像データから、顔検出部３０２において、画像データ中に含まれる顔情報を抽出する。顔情報があった場合、比較元データ３０３を作成する（ステップＳ６０１）。
【００４５】
画像データから画像内に写った顔の情報を取り出す場合、画像上の顔の領域を抜き出す必要がある。この方法については、ＡｄａＢｏｏｓｔ法やＨａａｒ型の特徴量検出法など多数の手法が広く知られていると共に、実際に使用されている。本実施の形態において検出方法について限定するものではない。顔領域の検出手法などは、文献Ｐ．Ｖｉｏｌａ，Ｍ．Ｊｏｎｅｓ，  “Ｒａｐｉｄ  ｏｂｊｅｃｔ  Ｄｅｔｅｃｔｉｏｎ  ｕｓｉｎｇ  ａ  Ｂｏｏｓｔｅｄ  Ｃａｓｃａｄｅ  ｏｆ  Ｓｉｍｐｌｅ  Ｆｅａｔｕｒｅｓ”，  Ｉｎ  Ｐｒｏｃ．ＩＥＥＥ  Ｃｏｎｆ．ｏｎ  Ｃｏｍｐｕｔｅｒ  Ｖｉｓｉｏｎ  ａｎｄ  Ｐａｔｔｅｒｎ  Ｒｅｃｏｇｎｉｔｉｏｎ，Ｋａｕａｉ，ＵＳＡ，２００１に詳しいので、詳細はここでは省略する。
【００４６】
実際に顔情報が複数ある場合が存在する。これはスナップ写真や集合写真などで、被写体が多数存在する場合である。この場合には、全ての顔情報を抽出する必要がある。本実施の形態では、簡略化のため被写体が一名で、顔が１つ見つかった場合を想定して記載するが、本実施の形態は処理件数について限定するものではない。
【００４７】
比較元データ３０３は、ユニークＩＤ３０３ａ、画像データ３０３ｂ、検出顔情報３０３ｃの３つから構成される。ユニークＩＤ３０３ａと画像データ３０３ｂについては、撮像装置１００から受け取ったユニークＩＤと画像データと同一のものであるが、画像データ３０３ｂは後に受信装置に対して配信を行うものであるため、配布用にサイズやフォーマットの変更を行ってもかまわない。
【００４８】
検出顔情報３０３ｃは、顔検出部３０２において画像データから検出された顔の情報が記載されている。顔の領域を抽出した画像であったり、画像データ３０３ｂ上の顔の位置を示す情報であったり、顔の特徴的な点を数値かしたものであったりする。検出情報３０３ｃの形式については、後に顔照合を行う顔照合部３０７で使用する照合方法に最適なデータ形状でよく、本実施の形態はデータ形状を限定するものではない。一枚の画像データ上に複数の被写体がおり、複数の顔を検出できた場合、比較元データ３０３を人数分作成し、検出顔情報３０３ｃを複数用意してもかまわないし、一つの比較元データ３０３の検出顔情報３０３ｃに複数の人物の顔情報を持たせるような構造にしてもかまわない。
【００４９】
受信装置２００から、ユニークＩＤと受信装置情報を受信後のサーバ３００の処理について図７のフローチャートを用いて説明する。サーバ３００は、通信部３０１を用いて、受信装置２００からユニークＩＤと受信装置情報を受け取る（ステップＳ７００）。
【００５０】
受信装置２００から受け取った受信装置情報から、送信してきた受信装置２００の所有者情報をサービス利用者データベース３０４内の所有者情報３０４ａと照合し、受信装置２００の所有者の顔照合データ３０４ｂを特定する。特定した所有者情報と顔照合データ３０４ｂと、受け取ったユニークＩＤから、比較先データ３０５を作成する（ステップＳ７０１）。
【００５１】
本実施の形態を実現するためには、サービス利用者データベース３０４に受信装置２００の所有者と所有者の顔情報を登録しておく必要がある。この登録作業については、事前に行っておく必要がある。受信装置２００の購入時などに、店舗や自宅のＰＣなどのネットワークに接続可能な環境で、受信装置に固有の受信機装置情報と、その受信装置の所有者情報と顔照合に使用する顔情報とを関連付けて登録しておく必要がある。所有者情報は、写真共有時の送り先の情報が含まれている必要がある。例えばメールアドレスなどである。ただし受信装置情報を送り先として使用できる通信方法である場合には、送り先の情報は不要である。
【００５２】
比較先データ３０５は、ユニークＩＤ３０５ａ、所有者情報３０５ｂ、蓄積顔情報３０５ｃの３つから構成されている。ユニークＩＤ３０３ａについては、受信装置２００から受け取ったユニークＩＤと同一のものである。所有者情報は、サービス利用者データベース３０４に登録されている所有者情報３０４ａで、後に写真を配布する宛先にあたるものである。メールアドレスなどの特定の受信装置に通信するときに必要となる情報である。      
【００５３】
ただし、受信装置情報を送り先として使用できる通信方法である場合には、受信装置２００から受け取った受信装置情報と所有者情報３０５ｂは同じものになる場合がある。
蓄積顔情報３０５ｃは、サービス利用者データベース３０４に登録されている顔照合データ３０４ｂである。所有者情報３０５ｂと関係付けて管理することで、顔が一致した人に対して、画像データを送信することが可能となる。蓄積顔情報３０５ｃの構造は、顔の領域を抽出した画像であったり、顔の特徴的な点を数値かしたものであったり、形式については、後に顔照合を行う顔照合部３０７で使用する照合方法に最適なデータ形状でよく、本実施の形態はデータ形状を限定するものではない。一人の人物の情報をあらわすものであれば、複数のデータから成り立っていてもよい。
【００５４】
図６で作成した比較元データと３０３と、図７で作成した比較先データ３０５が揃った場合の、サーバ３００の処理について、図８のフローチャートを使用して説明する。
【００５５】
まず、比較元データ３０３に格納されているユニークＩＤ３０３ａと、比較先データ３０５に格納されているユニークＩＤ３０５ａをユニークＩＤ比較部３０６において比較する。
【００５６】
ユニークＩＤは画像データの撮影時に、撮像装置１００で生成されるものであり、撮像装置１００から直接サーバ３００へ送られるユニークＩＤ３０３ａと、撮像装置１００から受信装置２００を経由してサーバ３００へ送られるユニークＩＤ３０５ａが一致したものであれば、それは画像撮影時に、撮像装置１００の周囲の近距離無線部１０６の通信圏内に受信装置２００があったことを示す。一致しなければ、それは画像データと受信装置２００の所有者とが関連性がないことを示しており、画像を共有する対象ではないため、それ以上比較を行うことは不要であり処理を終了する（ステップＳ８０１）。
【００５７】
ユニークＩＤ３０３ａとユニークＩＤ３０５ａが一致した場合、顔照合部３０７において、比較元データ３０３に含まれる検出顔情報３０４ｃと比較先データ３０５に含まれる蓄積顔情報３０５ｃを比較する（ステップＳ８０２）。
【００５８】
顔照合部３０７において、照合に使用される技術としては、パターン認識と呼ばれる分野において様々な方式が提案されている。特開２００３−２７１９５８号公報など様々な文献に記載されているため、本実施の形態では記載を省略するが、照合の結果、検出顔情報３０３ｃと蓄積顔情報３０５ｃが同一人物であるか否かを判断できるものとする。
【００５９】
検出顔情報３０３ｃと蓄積顔情報３０５ｃが一致する場合、画像データ内に写っている人物が、受信機２００の所有者であると判断することができ、画像共有の対象となる。逆に一致しない場合、撮像装置１００が画像データを撮影したときに、その周囲にいたものの画像データには写っていないため、画像共有の対象ではなくなる。その場合、それ以上比較を行うことは不要であり処理を終了する（ステップＳ８０３）。
【００６０】
顔照合部３０７で顔情報が一致した場合には、比較元データ３０３に含まれる画像データ３０３ｂを比較先データ３０５に含まれる所有者情報３０５ｂへ送信する（ステップＳ８０４）。送信には通信部３０１を使用する。
【００６１】
図８で通信部３０１を用いて送信された画像データが、受信装置２００に届いてからの処理を、図９のフローチャートを用いて説明する。受信装置２００は、無線通信部２０３を用いてサーバ３００から画像データを受け取る（ステップＳ２０３）。
【００６２】
受信した画像データは、記憶部２０４に送られ蓄積される（ステップＳ２０４）。この記憶部２０５は、フラッシュメモリーカード、ハードディスクドライブ、テープメディア、光ディスクメディアなどであっても構わない。また受信装置２００に内蔵された形状でも構わないし、取り外しができる形状であっても構わない。
【００６３】
このように、撮像装置１００、受信装置２００、サーバ３００は通信で接続されながら密接に関係しあい動作することになる。図１０にこの３つの装置の関係をまとめて示す。
【００６４】
撮像装置１００から、受信装置２００に向けてユニークＩＤが送信され、サーバ３００に向けてユニークＩＤと画像データが送信される。受信装置２００では受け取ったユニークＩＤと共に受信装置情報をサーバに送信する。サーバでは、画像データ内の顔情報と受信装置の持ち主の顔情報を比較して一致した場合には、受信装置２００に対して画像データを送信する仕組みとなっている。
【００６５】
本実施の形態では、撮像装置１００から受信装置２００への通信手段に近距離無線部１０６を使用し、サーバ３００への通信には遠距離無線１０７を使用した。また受信装置２００も撮像装置１００との通信手段に近距離無線部２０１を使用し、サーバとの通信手段には遠距離無線部２０３を使用する構成となっている。このように２つの特性の異なった無線通信機能を撮像装置１００、受信装置２００に搭載してもよいし、無線装置の出力を制御して１つの無線通信機能で実現してもよい。
【００６６】
１つの無線通信機能で実現した場合の撮像装置１１００と受信装置１２００の機能構成図をそれぞれ図１１と図１２に示す。
【００６７】
図１１に記載の撮像装置１１００は、図１の撮像装置１００と比較し、近距離無線部１０６と遠距離無線部１０７がなくなり、新たに無線通信部１１０６が追加されている。無線通信部１１０６は、受信装置とサーバ双方への通信機能を有し、それぞれ適切な通信範囲で通信できる機能として、通信距離制御機能１１０６ａを有している。
【００６８】
図１２に記載の受信装置１２００は、図２の受信装置２００と比較し、近距離無線部２０１と遠距離無線部２０３がなくなり、新たに無線通信部１２０３が追加されている。無線通信部１２０３は、撮像装置とサーバ双方への通信機能を有し、それぞれ適切な通信範囲で通信できる機能として、通信距離制御機能１２０３ａを有している。
【００６９】
撮像装置１００と受信装置２００の通信において、近距離無線機能を使用している理由として、サーバ３００での顔照合の回数をできるだけ減らすために、ユニークＩＤを受信する受信装置の数をできるだけ減らすことが目的である。しかし画像データを配布すべき人に届かなくては意味がないため、最小限の人数は画像データに写っている人にのみ通信する場合であり、これを長距離まで通信することができない近距離無線機能を用いて、できる限り最小限の人数への通信ですませるようにしている。
【００７０】
通信距離機能１１０６ａと１２０３ａは、撮像装置１１００と受信装置１２００と間で通信を行う場合には、通信圏を狭くして通信を行い、サーバ３００と通信を行う場合には、通信圏を広くして通信を行う処理をするとよい。
【００７１】
なお、本実施の形態では、画像データを撮影し配布する役割を果たすのが撮像装置、画像データを受け取るのが受信装置として、別々の装置として記載した。実環境においては、お互いに自分用の撮像装置を持っておき、友人などを撮影したときに、その友人の持つ撮像装置に対して画像データを送信し、逆に撮影してもらった場合には、写真を受信する端末であることが考えられる。つまり、撮像装置にもなり受信装置にもなる撮像装置が求められる。その構成を図１３に示す。
【００７２】
撮像装置１３００は、撮影者指示受付部１０１、撮像部１０２、画像処理部１０３、記憶部１０４、ユニークＩＤ発行部１０５、近距離無線部１０６、遠距離無線部１０７、受信装置情報１３０８、表示部１３０９から構成されている。本構成により、撮像装置であると同時に受信装置にもなることができる。
【００７３】
まず撮像装置１００として動作する場合には、撮像装置１３００の所有者（撮影者）が、撮像装置を構え撮影したいタイミングでシャッターボタンやタイマー設定を行う。その指示は撮影者指示受付部１０１に伝えられる。撮影者指示受付部１０１から撮影部１０２に対して撮影指示がなされ撮影が行われる。撮影した信号は撮影部１０２から画像処理部１０３に送られ、画像データが作成される。この画像データは記憶部１０４に蓄積されると同時に、また画像データは遠距離無線通信部１０７へ送られる。
【００７４】
撮影者指示受付部１０１は撮像部１０２に撮影指示を出すと同時に、ユニークＩＤ発行部１０５に対してユニークＩＤの発行指示を出す。ユニークＩＤ発行部１０５にて発行されたユニークＩＤは、近距離無線部１０６と遠距離無線部１０７に対して送られる。近距離無線部１０６ではユニークＩＤを無線信号として周囲にある別の撮像装置１３００へ送信する。遠距離通信部１０７では、先に受け取った画像データとユニークＩＤをセットにしてサーバ３００に対して送信される。
【００７５】
次に、受信装置として動作する場合には、別の撮像装置１３００から送信されたユニークＩＤを含む無線信号は、受信装置として動作している撮像装置１３００の近距離無線部１０６にて受信される。受信したユニークＩＤは、受信した受信装置が撮像装置１３００あることを示す情報である受信装置情報１３０８と共に、遠距離無線部１０７からサーバ３００へ送信される。
【００７６】
またサーバ３００から画像データが送られてきた場合には、遠距離無線部１０７で受信し、その画像データを記録部１０４に保存すると共に、表示部１３０９において画面表示する機能を持つ。
【００７７】
この場合、２つの撮像装置とサーバの関係は図１４のようになる。複数の撮像装置が存在し、それぞれを１３００−Ａと１３００−Ｂとする。利用者が撮像機能を使用して画像撮影を行ったほうの撮像装置（この場合、１３００−Ａ）が、図１の撮像装置１００と同等の役割を果たし、他の撮像装置に対してユニークＩＤを送信する。同時にサーバ３００に対して、ユニークＩＤと画像データを送信する。
【００７８】
またユニークＩＤを受け取った撮像装置（この場合、１３００−Ｂ）が、図２の受信装置と同等の役割を果たし、受け取ったユニークＩＤを受け取った撮像装置が１３００−Ｂであることを示す、受信装置情報ともにサーバ３００へ送信する。
【００７９】
サーバ３００では、顔情報の照合の結果、撮像装１３００−Ｂの持ち主が撮像１３００−Ａの撮影した画像に写っていると判断した場合、画像データを撮像装置１３００−Ｂに送信することで、画像データの共有が実現される。
【００８０】
なお、図１３の構成においても、近距離無線通信部１０６と遠距離無線通信部１０７は別の通信手段として用意したが、図１１の撮像装置１１００のように、無線通信部とその通信距離制御機能として一つの通信手段に置き換えても良い。
【００８１】
なお、図１０と図１４の関係図において、撮像装置と受信装置(受信の役割に回った撮像装置)は一対の関係が示されているが、複数対の関係であってもよい。複数の撮像装置が、複数の受信装置を撮影したとしても、唯一のユニークＩＤが配布され、そのユニークＩＤがサーバの顔情報比較の前に比較され、別のユニークＩＤ同士は処理されない構造を有しているため、誤って配信されることはない。
【００８２】
なお、本実施の形態では、撮像装置と受信装置という機能別の機器、及び、双方の機能を持つ撮像装置について説明した。しかし本実施の形態に記載していない、携帯電話やＰＤＡやパソコンなどの他の電子機器に対して同様の機能を提供してもかまわない。また単体もしくは複数のデバイスやＬＳＩやソフトウェアで動作するモジュールとして提供してもかまわない。
【産業上の利用可能性】
【００８３】
本発明にかかる撮像装置は、サーバを使用した写真共有に際して、被写体が所有する受信装置に対して、撮影したことを示すユニークなＩＤを発行する。サーバには撮像装置からこのＩＤと画像データが送信され、受信装置からはＩＤが送信される。サーバでは同じＩＤを送ってきた対象のみの顔情報を照合することで、サーバに登録する数百万から数千万人の顔情報と画像データ内の顔情報を比較する必要がなくなり、照合に要するサーバ側での処理量を現実的な範囲まで大幅に削減することができる。また事前に照合範囲を限定（友人登録などを）する必要もない点で有用である。
【符号の説明】
【００８４】
１００，１１００    撮像装置
１０１    撮影者指示受付部
１０２    撮像部
１０３    画像処理部
１０４，２０４    記憶部
１０５    ユニークＩＤ発行部
１０６，２０１    近距離無線部
１０７，２０３    遠距離無線部
２００，１２００    受信装置
２０２    受信装置情報
２０５    表示部
３００    サーバ
３０１    通信部
３０２    顔検出部
３０３    比較元データ
３０４    サービス利用者データベース
３０５    比較先データ
３０６    ユニークＩＤ比較部
３０７    顔照合部
１１０６，１２０３    無線通信部
【図１】
2011009898.tif 000003
【図２】
2011009898.tif 000004
【図３】
2011009898.tif 000005
【図４】
2011009898.tif 000006
【図５】
2011009898.tif 000007
【図６】
2011009898.tif 000008
【図７】
2011009898.tif 000009
【図８】
2011009898.tif 000010
【図９】
2011009898.tif 000011
【図１０】
2011009898.tif 000012
【図１１】
2011009898.tif 000013
【図１２】
2011009898.tif 000014
【図１３】
2011009898.tif 000015
【図１４】
2011009898.tif 000016